(57)【要約】【課題】視認性に優れ、かつ白色ボールとの識別性に優れるゴルフボール２の提供。【解決手段】ゴルフボール２は、本体４、マーク層６及びペイント層８を備えている。このゴルフボール２の表面は、マーク部１８と非マーク部２０とに区別される。このゴルフボールは、下記数式（Ｉ）から（III)を具備する。    ５０ ≦ Ｌ１ ≦ ８０      （Ｉ）    Ｌ１ ＜ Ｌ２      （II）    （ａ１２＋ｂ１２）１／２ ＞ （ａ２２＋ｂ２２）１／２      （III)これら数式において、Ｌ１は非マーク部２０のＬ＊を表し、Ｌ２はマーク部１８のＬ＊を表し、ａ１は非マーク部２０のａ＊を表し、ａ２はマーク部１８のａ＊を表し、ｂ１は非マーク部２０のｂ＊を表し、そして、ｂ２はマーク部１８のｂ＊を表す。Ｌ＊、ａ＊及びｂ＊は、ＣＩＥＬＡＢ表示系における指数である。【選択図】図１
2008253642.tif 000002
【特許請求の範囲】
【請求項１】
その表面に、マーク部と非マーク部とを備えており、下記数式（Ｉ）から（III)を具備するゴルフボール。
５０ ≦ Ｌ１ ≦ ８０      （Ｉ）
Ｌ１ ＜ Ｌ２      （II）
（ａ１２＋ｂ１２）１／２ ＞ （ａ２２＋ｂ２２）１／２      （III)
（これら数式において、Ｌ１は非マーク部のＬ＊を表し、Ｌ２はマーク部のＬ＊を表し、ａ１は非マーク部のａ＊を表し、ａ２はマーク部のａ＊を表し、ｂ１は非マーク部のｂ＊を表し、そして、ｂ２はマーク部のｂ＊を表す。Ｌ＊、ａ＊及びｂ＊は、ＣＩＥＬＡＢ表示系における指数である。）
【請求項２】
Ｌ２が６５を超えており、Ｌ２とＬ１との差（Ｌ２−Ｌ１）が１５以上３０以下である請求項１に記載のゴルフボール。
【請求項３】
（ａ２２＋ｂ２２）１／２と（ａ２２＋ｂ２２）１／２との差が５以上である請求項１又は２に記載のゴルフボール。
【請求項４】
（ａ２２＋ｂ２２）１／２が１５以下である請求項１から３のいずれかに記載のゴルフボール。
【発明の詳細な説明】
【技術分野】
【０００１】
本発明は、マーク部を有するゴルフボールに関する。
【背景技術】
【０００２】
ゴルフボールは、コアとカバーとを備えている。一般的なゴルフボールは、ほぼ白色に着色されている。着色は、カバーに顔料が分散することで達成されている。カバーの表面に塗装が施されることで、着色が達成されることもある。青、ピンク等の、白色以外の色に着色されたゴルフボールも存在する。
【０００３】
ゴルフボールには、マーキングが施されている。マーキングにより、ブランド及びボール番号が表示される。ゴルファーは、ブランドにより、自らのボールを他人のボールと識別することができる。ゴルファーは、ボール番号によっても、自らのボールを他人のボールと識別することができる。
【０００４】
ゴルフボールの色に関する種々の提案がなされている。特開平１０−１５５９３７号公報には、Ｌが８０以上であり、ａが−３０から３０であり、ｂが−３０から３０であるゴルフボールが開示されている。特開２００４−３３５９４公報には、（Ｌ−（ａ２＋ｂ２）１／２）が３５以上５５以下であるゴルフボールが開示されている。特開２００６−１８７６０１公報には、Ｌが４５以下であり、（ａ２＋ｂ２）１／２が５以下であるゴルフボールが開示されている。実用新案登録第３０３８３１２号公報には、本体よりも濃いマークを備えたゴルフボールが開示されている。
【特許文献１】特開平１０−１５５９３７号公報
【特許文献２】特開２００４−３３５９４公報
【特許文献３】特開２００６−１８７６０１公報
【特許文献４】実用新案登録第３０３８３１２号公報
【発明の開示】
【発明が解決しようとする課題】
【０００５】
特開平１０−１５５９３７号公報に開示のゴルフボールの色は、いわゆるパステルカラーである。このゴルフボールの色は、白色に近い。ゴルフでは、飛行後に静止したゴルフボールを遠方から見ることが多い。このゴルフボールと、通常の白色のゴルフボールとの、遠方からの識別には困難を伴う。
【０００６】
特開２００４−３３５９４公報に開示のゴルフボールでは、Ｌが小さいか、又は（ａ２＋ｂ２）が大きい。このゴルフボールが飛行するとき、ゴルファーはこのゴルフボールを見失いやすい。このゴルフボールは、飛行時の視認性に劣る。背景が樹木であるときの視認性は、特に悪い。さらに、このゴルフボールは、芝生上にあるときの、遠方からの視認性にも劣る。
【０００７】
特開２００６−１８７６０１公報に開示のゴルフボールの色は、濃い。このゴルフボールは、飛行時の視認性に劣る。背景が樹木であるときの視認性は、特に悪い。さらに、このゴルフボールは、芝生上にあるときの遠方からの視認性にも劣る。
【０００８】
実用新案登録第３０３８３１２号公報に開示のゴルフボールは、非マーク部の色が白色に近い。このゴルフボールと、通常の白色のゴルフボールとの、遠方からの識別には困難を伴う。さらに、このゴルフボールのマーク部は、視認性に十分には寄与しない。
【０００９】
本発明の目的は、視認性に優れ、かつ白色ボールとの識別性に優れるゴルフボールの提供にある。
【課題を解決するための手段】
【００１０】
本発明に係るゴルフボールは、その表面に、マーク部と非マーク部とを備える。このゴルフボールは、下記数式（Ｉ）から（III)を具備する。
５０ ≦ Ｌ１ ≦ ８０      （Ｉ）
Ｌ１ ＜ Ｌ２      （II）
（ａ１２＋ｂ１２）１／２ ＞ （ａ２２＋ｂ２２）１／２      （III)
これら数式において、Ｌ１は非マーク部のＬ＊を表し、Ｌ２はマーク部のＬ＊を表し、ａ１は非マーク部のａ＊を表し、ａ２はマーク部のａ＊を表し、ｂ１は非マーク部のｂ＊を表し、そして、ｂ２はマーク部のｂ＊を表す。Ｌ＊、ａ＊及びｂ＊は、ＣＩＥＬＡＢ表示系における指数である。
【００１１】
好ましくは、Ｌ２は６５を超え、Ｌ２とＬ１との差（Ｌ２−Ｌ１）は１５以上３０以下である。好ましくは、（ａ２２＋ｂ２２）１／２と（ａ２２＋ｂ２２）１／２との差は５以上である。好ましくは、（ａ２２＋ｂ２２）１／２は１５以下である。
【発明の効果】
【００１２】
このゴルフボールでは、非マーク部の色が白色と大幅に異なる。従って、このゴルフボールは、白色ボールとの識別性に優れる。このゴルフボールでは、マーク部が視認性に寄与する。Ｌ１が５０以上であるため、非マーク部は視認性を大幅には阻害しない。このゴルフボールでは、識別性と視認性とが両立される。このゴルフボールが用いられることにより、誤球及びボールロストが抑制される。
【発明を実施するための最良の形態】
【００１３】
以下、適宜図面が参照されつつ、好ましい実施形態に基づいて本発明が詳細に説明される。
【００１４】
図１は、本発明の一実施形態に係るゴルフボール２の一部が示された断面図である。このゴルフボール２は、本体４、マーク層６及びペイント層８を備えている。本体４は、球状のコア１０と、このコア１０の外側に位置するカバー１２とからなる。本体４が、単一層から構成されてもよい。ゴルフボール２は、その表面にディンプル１４及びランド１６を備えている。ゴルフボール２が、カバー１２とマーク層６との間に、他のペイント層を備えてもよい。
【００１５】
コア１０は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。好ましくは、架橋には共架橋剤が用いられる。好ましくは、ゴム組成物は、有機過酸化物を含む。コア１０が２以上の層から構成されてもよい。
【００１６】
カバー１２は、樹脂組成物からなる。熱可塑性樹脂又は熱硬化性樹脂が、カバー１２に用いられうる。典型的な樹脂は、アイオノマー樹脂及びポリウレタンである。カバー１２が、スチレンエラストマー、ポリアミドエラストマー、ポリエステルエラストマー及びポリオレフィンエラストマーを含んでもよい。カバー１２が２以上の層から構成されてもよい。
【００１７】
カバー１２は、顔料を含む。顔料により、カバー１２が着色される。青色顔料、紫色顔料、緑色顔料、黄色顔料、橙色顔料、赤色顔料等が用いられうる。青色顔料としては、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー及びインダスレンブルーＢＣが例示される。紫色顔料としては、マンガン紫、ファストバイオレットＢ及びメチルバイオレットレーキが例示される。緑色顔料としては、クロムグリーン、酸化クロム、ピグメントグリーンＢ、マラカイトグリーンレーキ及びファナルイエローグリーンＧが例示される。黄色顔料としては、黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマンネントイエローＮＣＧ及びタートラジンレーキが例示される。橙色顔料としては、赤口黄鉛、モリブテンオレンジ、パーマネントオレンジＧＴＲ、ピラゾロンオレンジ、バルカンオレンジ、インダスレンブリリアントオレンジＲＫ、ベンジジンオレンジＧ及びインダスレンブリリアントオレンジＧＫが例示される。赤色顔料としては、ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ及びブリリアントカーミン３Ｂが例示される。
【００１８】
カバー１２には、白色着色剤も添加される。典型的な白色着色剤は、二酸化チタンである。二酸化チタンと他の顔料との併用により、所望の色を有するカバー１２が得られる。二酸化チタンの量は、基材樹脂１００質量部に対して０．１質量部以上５質量部以下が好ましい。他の顔料の量は、基材樹脂１００質量部に対して０．００１質量部以上５質量部以下が好ましい。
【００１９】
カバー１２には、必要に応じ、硫酸バリウムのような充填剤、酸化防止剤、紫外線吸収剤、光安定剤、蛍光剤、蛍光増白剤等が適量配合される。
【００２０】
マーク層６は、インク組成物からなる。このインク組成物は、基材樹脂と顔料とを含む。基材樹脂の具体例としては、エポキシ樹脂、ポリエステルポリオール、ポリエーテルポリオール、ポリウレタンポリオール及びニトロセルロースが例示される。
【００２１】
好ましくは、マーク層６に、二液硬化型のインク組成物が用いられる。このインク組成物の典型的な硬化剤は、イソシアネートである。脂肪族ジイソシアネート、脂環族ジイソシアネート、芳香族ジイソシアネート及び芳香脂肪族ジイソシアネートが用いられうる。イソシアネートの具体例としては、イソホロンジイソシアネート、ヘキサメチレンジイソシアネート、キシリレンジイソシアネート、水添キシリレンジイソシアネート、テトラメチルキシリレンジイソシアネート、水添ジフェニルメタンジイソシアネート及びトリレンジイソシアネートが挙げられる。イソシアネートの配合量は、基材樹脂１００質量部に対して５質量部以上３０質量部以下が好ましい。
【００２２】
マーク層６の色は、カバー１２の色とは異なる。マーク層６により、メーカー名、ブランド１６、ボール番号等が表示される。後述されるように、マーク層６の明度は高い。所望の明度が得られるように、インク組成物における顔料の種類と量とが調整される。主として白色顔料が用いられることで、明度の高いマーク層６が得られる。白色顔料としては、亜鉛華、酸化チタン、アンチモン白、硫化亜鉛、バライト粉、炭酸バリウム、クレー、シリカ、タルク及びアルミナホワイトが例示される。白色顔料と共に、少量の青色顔料、紫色顔料、緑色顔料、黄色顔料、橙色顔料、赤色顔料等が用いられてもよい。
【００２３】
マーク層６は、カバー１２の表面に印刷が施されることにより形成される。パッド印刷、刻印式印刷、インクジェット式印刷、転写フィルム式印刷等が、採用されうる。生産性の観点から、パッド印刷が好ましい。パッド印刷では、主剤（基材樹脂、顔料等が含まれる）、硬化剤及び溶剤が混合され、インク組成物が調製される。このインク組成物によって、版に像が形成される。この版にパッドが押し当てられることにより、像がパッドに転写される。このパッドがゴルフボール２の本体４に押し当てられることにより、像が本体４に転写される。転写後、インク組成物が乾燥・硬化し、マーク層６が完成する。ゴルフボール２はディンプル１４を備えているが、パッドは柔軟で変形能に優れるので、ディンプル１４の内部への印刷も可能である。
【００２４】
インク組成物の所望の粘度が得られるように、溶剤の種類と量とが調整される。溶剤の具体例としては、酢酸エチル、プロピレングリコールモノメチルエーテルアセテート、ブタノール、セロソルブ、３−メトキシ−３−メチルブチルアセテート、ｎ−ブチル酢酸塩、シクロヘキサン、メチルエチルケトン、ベンゼン、トルエン及びキシレンが挙げられる。インク組成物における溶剤の比率は、２質量％以上５０質量％以下である。
【００２５】
マーク層６の厚みは、１μｍ以上５０μｍ以下が好ましい。厚みが１μｍ以上であるマーク層６は、隠蔽性に優れる。優れた隠蔽性により、マーク層６の色とカバー１２の色との相違が明確であるゴルフボール２が得られる。この観点から、マーク層６の厚みは３μｍ以上がより好ましく、５μｍ以上が特に好ましい。厚みが５０μｍ以下であるマーク層６は、生産性に優れる。この観点から、厚みは３０μｍ以下がより好ましく、２０μｍ以下が特に好ましい。
【００２６】
ペイント層８は、無色かつ透明である。ペイント層８を透して、カバー１２及びマーク層６が観察されうる。ペイント層８が、多少の顔料を含んでもよい。ペイント層８は、カバー１２又はマーク層６を覆っている。ペイント層８により、マーク層６が保護される。ペイント層８の厚みは、３μｍ以上１００μｍ以下である。ペイント層８が、マーク層６の直上にのみ設けられてもよい。ゴルフボール２が、２以上のペイント層８を備えてもよい。ペイント層８が設けられなくてもよい。
【００２７】
ペイント層８は、塗料の塗布によって形成されている。静電塗装、スプレーガン塗装、刷毛塗り等が、採用されうる。塗料の基材樹脂としては、ポリウレタン、エポキシ樹脂、ポリエステル、アクリル樹脂等が例示される。ペイント層８の耐久性の観点から、二液硬化型の塗料が好ましい。典型的には、ペイント層８に、二液硬化型ポリウレタン塗料が用いられる。塗料には、必要に応じ、酸化防止剤、紫外線吸収剤、光安定剤、蛍光剤、蛍光増白剤等の添加剤が、適量配合される。
【００２８】
図１に示されるように、ゴルフボール２の表面は、マーク部１８と非マーク部２０とに区別される。マーク部１８は、ゴルフボール２の表面（本実施形態ではペイント層８の表面）のうち、マーク層６の直上の部分である。非マーク部２０は、ゴルフボール２の表面のうち、マーク部１８以外の部分である。ゴルフボール２の表面積に対するマーク部１８の面積の比率は、０．５％以上２０％以下である。ゴルフボール２の表面の大半は、非マーク部２０である。
【００２９】
本発明では、ＣＩＥＬＡＢ表示系における指数Ｌ＊、ａ＊及びｂ＊によって、マーク部１８及び非マーク部２０の色が表示される。指数Ｌ＊、ａ＊及びｂ＊は、下記数式によって算出される。
Ｌ＊ ＝ １１６（Ｙ／Ｙｎ）１／３ − １６
ａ＊ ＝ ５００（（Ｘ／Ｘｎ）１／３ − （Ｙ／Ｙｎ）１／３）
ｂ＊ ＝ ２００（（Ｙ／Ｙｎ）１／３ − （Ｚ／Ｚｎ）１／３）
これら数式において、Ｘ、Ｙ及びＺはＸＹＺ表示系における三刺激値であり、Ｘｎ、Ｙｎ及びＺｎは完全拡散反射面の三刺激値である。ＣＩＥＬＡＢ表示系は、国際照明委員会（ＣＩＥ）によって１９７６年に決定された規格である。日本では、「ＪＩＳ  Ｚ  ８７２９」において、ＣＩＥＬＡＢ表示系が採用されている。
【００３０】
Ｌ＊は、明度の指数である。ａ＊及びｂ＊は、色相及び彩度と相関する指数である。ａ＊のマイナス方向は緑方向であり、プラス方向は赤方向である。ｂ＊のマイナス方向は青方向であり、プラス方向は黄方向である。
【００３１】
本発明では、コニカミノルタ社の分光測色計「ＣＭ−３５００ｄ」により、マーク部１８及び非マーク部２０の指数Ｌ＊、ａ＊及びｂ＊が測定される。受光部がゴルフボール２の表面（本実施形態ではペイント層８の表面）に当てられ、測定がなされる。光源には、「標準の光Ｄ６５」が採用される。この光源の色温度は、６５０４ｋである。分光感度としては、「２°視野」が採用される。
【００３２】
本明細書では、Ｌ１は非マーク部２０のＬ＊を表し、Ｌ２はマーク部１８のＬ＊を表し、ａ１は非マーク部２０のａ＊を表し、ａ２はマーク部１８のａ＊を表し、ｂ１は非マーク部２０のｂ＊を表し、そして、ｂ２はマーク部１８のｂ＊を表す。
【００３３】
このゴルフボール２は、下記数式（Ｉ）を具備する。
５０ ≦ Ｌ１ ≦ ８０      （Ｉ）
このゴルフボール２の、非マーク部２０の明度の指数Ｌ１は、８０以下である。一般的な白色ボールでは、非マーク部２０のＬ１は９０以上である。このゴルフボール２の全体的な明度は、通常の白色ボールのそれに比べて明らかに小さい。ショットの後、ゴルファーは、歩行により、又はカートによって前進する。ゴルファーは、遠方から、自らのゴルフボール２及び他人のボールを見る。明度が異なるので、ゴルファーは、自らのゴルフボール２を他人のボールと区別できる。このゴルフボール２は、識別性に優れる。識別性の観点から、Ｌ１は７６以下がより好ましく、７１以下が特に好ましい。
【００３４】
このゴルフボール２では、Ｌ１は５０以上である。換言すれば、非マーク部２０の色は濃すぎない。このゴルフボール２の飛行中、背景に樹木があっても、ゴルファーはこのゴルフボール２を見失いにくい。芝生の上にあるゴルフボール２を遠方からゴルファーが見た場合、芝生とゴルフボール２との区別が可能である。このゴルフボール２は、視認性に優れる。視認性の観点から、Ｌ１は６６以上がより好ましい。
【００３５】
このゴルフボール２は、下記数式（II）を具備する。
Ｌ１ ＜ Ｌ２      （II）
換言すれば、マーク部１８の明度は非マーク部２０の明度よりも大きい。このマーク部１８は、目立つ。明度の高いマーク部１８により、優れた視認性が達成されうる。視認性の観点から、Ｌ２は６５超が好ましく、７５以上がより好ましく、９０以上が特に好ましい。
【００３６】
差（Ｌ２−Ｌ１）は、１５以上が好ましい。差（Ｌ２−Ｌ１）が１５以上であるゴルフボール２では、非マーク部２０による識別性とマーク部１８による視認性とが両立される。この観点から、差（Ｌ２−Ｌ１）は１９以上がより好ましい。差（Ｌ２−Ｌ１）は、３０以下が好ましい。差（Ｌ２−Ｌ１）が３０以下であるゴルフボール２では、非マーク部２０が視認性を阻害しない。この観点から、差（Ｌ２−Ｌ１）は２４以下がより好ましい。
【００３７】
このゴルフボール２は、下記数式（III)を具備する。
（ａ１２＋ｂ１２）１／２ ＞ （ａ２２＋ｂ２２）１／２      （III)
（ａ１２＋ｂ１２）１／２は、非マーク部２０の彩度を表す。（ａ２２＋ｂ２２）１／２は、マーク部１８の彩度を表す。上記数式（III)を具備するゴルフボール２では、非マーク部２０の彩度がマーク部１８の彩度よりも大きい。このゴルフボール２では、非マーク部２０によって優れた識別性が達成され、マーク部１８によって優れた視認性が達成される。さらに、この非マーク部２０及びマーク部１８の組み合わせにより、優れたデザイン性が達成される。
【００３８】
識別性、視認性及びデザイン性の観点から、（ａ１２＋ｂ１２）１／２と（ａ２２＋ｂ２２）１／２との差は５以上が好ましく、１６以上がより好ましく、１８以上が特に好ましい。差は２８以下が好ましく、２４以下が特に好ましい。
【００３９】
非マーク部２０による識別性の観点から、（ａ１２＋ｂ１２）１／２は２０以上が好ましく、２３以上がより好ましい。非マーク部２０による視認性の観点から、（ａ１２＋ｂ１２）１／２は３３以下が好ましく、２９以下が特に好ましい。
【００４０】
デザイン性及びマーク部１８による視認性の観点から、（ａ２２＋ｂ２２）１／２は１５以下が好ましく、１０以下がより好ましく、５以下が特に好ましい。（ａ２２＋ｂ２２）１／２は、ゼロでもよい。
【００４１】
ゴルフボール２が、他のマーク層を備えてもよい。他のマーク層の色は、前述のマーク層６の色と同一でもよく、異なってもよい。
【実施例】
【００４２】
以下、実施例によって本発明の効果が明らかにされるが、この実施例の記載に基づいて本発明が限定的に解釈されるべきではない。
【００４３】
［実施例１］
１００質量部のポリブタジエン（ジェイエスアール社の商品名「ＢＲ−７３０」）、２５質量部のアクリル酸亜鉛、１０質量部の酸化亜鉛、１５質量部の硫酸バリウム、０．５質量部のジフェニルジスルフィド及び０．８質量部のジクミルパーオキサイドを混練し、ゴム組成物を得た。このゴム組成物を共に半球状キャビティを備えた上型及び下型からなる金型に投入し、１７０℃で２０分間加熱して、直径が３８．９ｍｍのコアを得た。
【００４４】
４５質量部のナトリウム中和型アイオノマー樹脂（デュポン社の商品名「サーリン８９４５」）、４５質量部の亜鉛中和型アイオノマー樹脂（デュポン社の商品名「サーリン９９４５」）、１０質量部のスチレンブロック含有熱可塑性エラストマー（三菱化学社の商品名「ラバロンＳＲ０４」）、３質量部の二酸化チタン及び０．０２質量部の青色顔料混合物（大日精化工業社の商品名「ＰＥ−Ｄ  ０６Ｇ１７７ブルー」）を二軸混練押出機にて混練し、樹脂組成物を得た。上記コアを、内周面に多数のピンプルを備えたファイナル金型に投入し、コアの周囲に上記樹脂組成物を射出成形法により注入して、厚みが１．９ｍｍであるカバーを成形した。カバーには、ピンプルの形状が反転した形状のディンプルが多数形成された。カバーの色は、白に近い青であった。このカバーの表面に、研磨処理を行った。
【００４５】
１００質量部の主剤（ナビタス社の商品名「ＥＰＨ  ４６藍）、１０質量部の硬化剤（ヘキサメチレンジイソシアネート）及び２０質量部の溶剤（酢酸エチル）を混練し、インク組成物を得た。このインク組成物を用い、パッド印刷にて、カバーの表面にマーク層を形成した。マーク層の色は、ほぼ白色であった。
【００４６】
二液硬化型ポリウレタンを基材とするクリアー塗料を、調製した。この塗料の主剤は、ポリエーテルポリオールとポリエステルポリールとの混合物である。この主剤の水酸基価は、８２ｍｇＫＯＨ／ｇである。この塗料の硬化剤は、ヘキサメチレンジイソシアネートである。この塗料のＮＣＯ：ＯＨ等量比は、１．３：１．０である。この塗料を、カバー及びマーク層にスプレーガンにて塗装した。この塗料を４０℃の温度下で１２０分間乾燥させ、厚みが約１０μｍのペイント層を得た。こうして、直径が４２．７ｍｍであり、質量が約４５．４ｇである実施例１のゴルフボールを得た。
【００４７】
［実施例２から３及び比較例１から２］
カバーの青色顔料の量を下記の表１に示される通りとした他は実施例１と同様にして、実施例２から３及び比較例１から２のゴルフボールを得た。
【００４８】
［実施例４及び比較例３から４］
青色顔料に代えてピンク色顔料混合物（大日精化工業社の商品名「ＰＥ−Ｄ  ０６Ｃ５７９ピンク」）をカバーに用い、その量を下記の表２に示される通りとした他は実施例１と同様にして、実施例４及び比較例３から４のゴルフボールを得た。
【００４９】
［実施例５及び比較例５から６］
青色顔料に代えて黄色顔料混合物（大日精化工業社の商品名「ＰＥ−Ｄ  ０６Ｅ３２０イエロー」）をカバーに用い、その量を下記の表３に示される通りとした他は実施例１と同様にして、実施例５及び比較例５から６のゴルフボールを得た。
【００５０】
［比較例７から８］
マーク層に下記表４に示されるインク組成物を用いた他は実施例１と同様にして、比較例７から８のゴルフボールを得た。
【００５１】
［比較例９］
カバーに青色顔料を配合せず、マーク層に下記表４に示されるインク組成物を用いた他は実施例１と同様にして、比較例９のゴルフボールを得た。
【００５２】
［測色］
前述の方法にて、非マーク部及びマーク部の指数Ｌ＊、ａ＊及びｂ＊を測定した。この結果が、下記の表１から４に示されている。
【００５３】
［識別性］
実施例及び比較例のゴルフボールを、芝生の上に置いた。１０名のゴルファーにこれらのボールを目視観察させ、市販の白色ボールとの色の差を評価させた。下記の基準に基づき、格付けを行った。
Ａ：色の差が大きいと評価したゴルファーの人数が９人以上
Ｂ：色の差が大きいと評価したゴルファーの人数が７人以上８人以下
Ｃ：色の差が大きいと評価したゴルファーの人数が４人以上６人以下
Ｄ：色の差が大きいと評価したゴルファーの人数が３人以下
この結果が、下記の表１から４に示されている。
【００５４】
［飛行時の視認性］
スイングマシンに、ドライバーを装着した。ヘッド速度が４５ｍ／ｓｅｃである条件で、実施例及び比較例のゴルフボールを打撃した。ゴルファーに弾道を観察させ、視認性を評価させた。下記の基準に基づき、格付けを行った。
Ａ：視認性がよいと評価したゴルファーの人数が９人以上
Ｂ：視認性がよいと評価したゴルファーの人数が７人以上８人以下
Ｃ：視認性がよいと評価したゴルファーの人数が４人以上６人以下
Ｄ：視認性がよいと評価したゴルファーの人数が３人以下
この結果が、下記の表１から４に示されている。
【００５５】
［芝生上での視認性］
実施例及び比較例のゴルフボールを、芝生の上に置いた。ゴルフボールから２０ｍ離れた地点から、ゴルファーにゴルフボールを観察させ、視認性を評価させた。下記の基準に基づき、格付けを行った。
Ａ：視認性がよいと評価したゴルファーの人数が９人以上
Ｂ：視認性がよいと評価したゴルファーの人数が７人以上８人以下
Ｃ：視認性がよいと評価したゴルファーの人数が４人以上６人以下
Ｄ：視認性がよいと評価したゴルファーの人数が３人以下
この結果が、下記の表１から４に示されている。
【００５６】
【表１】
2008253642.tif 000003
【００５７】
【表２】
2008253642.tif 000004
【００５８】
【表３】
2008253642.tif 000005
【００５９】
【表４】
2008253642.tif 000006
【００６０】
表１から４に示されるように、実施例のゴルフボールは、識別性及び視認性に優れている。この評価結果から、本発明の優位性は明らかである。
【産業上の利用可能性】
【００６１】
本発明は、種々の構造のゴルフボールに適用されうる。
【図面の簡単な説明】
【００６２】
【図１】図１は、本発明の一実施形態に係るゴルフボールの一部が示された断面図である。
【符号の説明】
【００６３】
２・・・ゴルフボール
４・・・本体
６・・・マーク層
８・・・ペイント層
１０・・・コア
１２・・・カバー
１４・・・ディンプル
１６・・・ランド
１８・・・マーク部
２０・・・非マーク部
【図１】
2008253642.tif 000007